(57)【要約】  本発明は、個人的及び／又は情動的な形でデバイスの消費者によって設計されるように適合され、その少なくとも一部を格納するのに適した設計を有するエンベロープと、前記デバイスに前記エンベロープを固定するよう適合された固定手段とを備える擬人化されたコンピュータ及び周辺ハードウェア（デバイス）、及び擬人化されたエンベロープでコンピュータ及び周辺ハードウェアをパッケージ化する方法を開示する。【選択図】  図７
2010524115.tif 000002
【特許請求の範囲】
【請求項１】
擬人化されたコンピュータ及び周辺ハードウェア（デバイス）であって、
ａ．前記デバイスの少なくとも一部を格納するのに適した設計を有する、個人的及び／又は情動的な形で前記デバイスの消費者によって設計されるように適合されたエンベロープと、
ｂ．前記エンベロープを前記デバイスに固定するように適合された固定手段とを備え、
前記少なくとも一時的な設計、即ち前記エンベロープの大きさ、形、色、質感、材料が前記消費者によって個別に選択可能、カスタマイズ可能及び／又は形成可能であるデバイス。
【請求項２】
前記エンベロープが少なくとも部分的に継続的及び／又は不浸透性であり、少なくとも１つの開口部、ネット状の穴又はメッシュ状の穴を含む、請求項１に記載の擬人化されたデバイス。
【請求項３】
パッケージが、ポリマー、金属、合金、木材、紙、段ボール、粘土、ガラス、複合材料、皮革、スエード、ベルベット、布、絹、羊毛、毛髪、毛皮、フレキシブルスクリーン、ＦＯＬＥＤ、又はそれらの任意の組合せから成る群から選択される材料で作られる、請求項１に記載の擬人化されたデバイス。
【請求項４】
前記パッケージがさらに、動作手段、特にモータ、ポンプ、又は他の操縦手段を備える、請求項１に記載の擬人化されたデバイス。
【請求項５】
前記パッケージが、音声、映像、光、音、振動、又はそれらの任意の組合せを表示、導入、又は放出するように適合された手段を備える、請求項１に記載の擬人化されたデバイス。
【請求項６】
前記固定手段が磁石、ねじ、フック、ジッパ、ファスナ、クリップ、垂蓋、留め金、ばね、留め金、グリップ、ベルクロ（商標）、ストラップ、紐、ワイヤ、ケーブル、タブ、スナップ、釘、ボタン、ブラケット、又はそれらの任意の組合せから成る群から選択される、請求項１に記載の擬人化されたデバイス。
【請求項７】
パッケージが前記デバイスの「標準的な」シェルを格納するように適合されている、請求項１に記載の擬人化されたデバイス。
【請求項８】
パッケージが「シェルのない」デバイスを格納するように適合されている、請求項１に記載の擬人化されたデバイス。
【請求項９】
前記シェルのないデバイスがフレームを備え、それにより、前記エンベロープが前記デバイスのフレームの少なくとも一部に固定される、請求項１に記載の擬人化されたデバイス。
【請求項１０】
動物、植物、一般人、有名人、漫画のキャラクタ、乗り物、ビル及び建造物、地勢、服装のアイテム、食品、ボール、スポーツ用品、ロボット、文学の登場人物、聖書の登場人物、抽象的な形、備品、住宅設備、又はそれらの任意の組合せから成る群から選択される形に形成される、請求項１に記載の擬人化されたデバイス。
【請求項１１】
交換可能、設定可能なパーツのセットであって、前記パーツが目、耳、鼻、足、翼、帽子、靴、靴下、帽子、服、装飾、又はそれらの任意の組合せから成る群から選択される形に形成される、請求項１に記載の擬人化されたデバイスに取り付け手段によって付加され取り付けられる、パーツのセット。
【請求項１２】
特に、（ｉ）ラップトップ、特にドッキングステーションを内部に組み込んだラップトップ、（ｉｉ）ＰＣ、及び（ｉｉｉ）周辺ハードウェアから成る群のうちの１つ又は複数であり、ユーザから、ユーザの共同体から、環境から、又はその他からの情動的応答を誘発する形で擬人化され提供される、請求項１に記載の擬人化されたデバイス。
【請求項１３】
コーティング装置、エンベロープ又はコーティングから成る群の１つ又は複数のメンバから選択され、ユーザから、ユーザの共同体から、環境から、又はその他から情動的応答を誘発する形で擬人化され提供されるバッグの中に少なくとも一時的に格納される、請求項１に記載の擬人化されたデバイス。
【請求項１４】
本発明で定義され、説明されている擬人化されたデバイス。
【請求項１５】
請求項１又はそれに従属する請求項のいずれか一項に記載のエンベロープによって装備されるデバイス。
【請求項１６】
擬人化されたエンベロープでコンピュータ及び周辺ハードウェア（デバイス）をパッケージ化する方法であって、
ａ．請求項１又はそれに従属する請求項のいずれか一項に記載の擬人化されたデバイスを取得するステップと、
ｂ．前記エンベロープによって前記デバイスをパッケージ化するステップと
を含む方法。
【請求項１７】
デバイス上で広告を行う方法であって、
ａ．請求項１又はそれに従属する請求項のいずれか一項に記載の擬人化されたデバイスを取得するステップであり、前記デバイスが少なくとも１つの広告を備える、取得するステップと、
ｂ．前記エンベロープによって前記デバイスをパッケージ化するステップと
を含む方法。
【請求項１８】
同様のコミュニティの他のコンピュータ及び周辺ハードウェアと直接的若しくは遠隔の形で通信するよう適合された通信手段を備え、前記コミュニティがパラメータの１群であり、２つのコンピュータ及び周辺ハードウェアが少なくとも１つの相互パラメータを共用し、前記コミュニティの間に通信が提供される、請求項１又はそれに従属する請求項のいずれか一項に記載の擬人化されたコンピュータ及び周辺ハードウェア。
【請求項１９】
本発明に定義されている、擬人化されたコンピュータ及び周辺ハードウェアのコミュニティ。
【請求項２０】
請求項１又はそれに従属する請求項のいずれか一項に記載の、擬人化されたデバイスから情動的応答を誘発する方法。
【発明の詳細な説明】
【技術分野】
【０００１】
本発明は、コンピュータ及び周辺ハードウェアへの擬人化された情動的パッケージから成る擬人化された情動的コンピュータ環境とその方法に関する。
【背景技術】
【０００２】
本発明を理解するために、また本発明が実際にどのように実施され得るかを理解するために、複数の実施形態が、非限定的な例のみとして、添付の図面を参照して説明されている。
【図面の簡単な説明】
【０００３】
【図１】本発明で定義される一定の縮尺で描かれていない起こり得るパッケージのセットを概略図として示す。
【図２】本発明で定義される一定の縮尺で描かれていない起こり得るパッケージのセットを概略図として示す。
【図３】本発明で定義される一定の縮尺で描かれていない起こり得るパッケージのセットを概略図として示す。
【図４】本発明で定義される一定の縮尺で描かれていない起こり得るパッケージのセットを概略図として示す。
【図５】本発明で定義される一定の縮尺で描かれていない起こり得るパッケージのセットを概略図として示す。
【図６】本発明で定義される一定の縮尺で描かれていない起こり得るパッケージのセットを概略図として示す。
【図７】本発明で定義される一定の縮尺で描かれていない起こり得るパッケージのセットを概略図として示す。
【図８】本発明で定義される一定の縮尺で描かれていない起こり得るパッケージのセットを概略図として示す。
【図９】本発明で定義される一定の縮尺で描かれていない起こり得るパッケージのセットを概略図として示す。
【図１０】本発明で定義される一定の縮尺で描かれていない起こり得るパッケージのセットを概略図として示す。
【図１１】本発明で定義される一定の縮尺で描かれていない起こり得るパッケージのセットを概略図として示す。
【図１２】本発明で定義される一定の縮尺で描かれていない起こり得るパッケージのセットを概略図として示す。
【図１３】本発明で定義される一定の縮尺で描かれていない起こり得るパッケージのセットを概略図として示す。
【図１４】本発明で定義される一定の縮尺で描かれていない起こり得るパッケージのセットを概略図として示す。
【図１５】本発明で定義される一定の縮尺で描かれていない起こり得るパッケージのセットを概略図として示す。
【図１６】本発明で定義される一定の縮尺で描かれていない起こり得るパッケージのセットを概略図として示す。
【発明を実施するための形態】
【０００４】
以下の説明は、本発明の全章に亘って、任意の当業者が本発明を使用することができるようにするために提供され、本発明者が意図する本発明の実施の最良の態様を示す。しかし、本発明の一般的な原理は、（ｉ）そのデバイスの少なくとも一部分を格納するのに適した設計を有し、個人的及び／又は情動的な形で前記デバイスの消費者によって設計されるように適合されたエンベロープと、（ｉｉ）前記少なくとも一時的な設計、即ち前記エンベロープの大きさ、形、色、質感、材料が前記消費者によって個別に選択可能、カスタマイズ可能及び／又は形成可能な前記エンベロープを前記デバイスに固定するように適合された固定手段と、（ｉｉｉ）目、耳、鼻、口、足、手、翼、靴、靴下、帽子、服、装飾などであり得るがこれらに限定されない、そのデバイスに追加され、その性質を変えることができる交換可能なパーツとを備える、擬人化されたコンピュータ及び周辺ハードウェア（以下、「デバイス」という）を提供するために具体的に定義されているため、様々な変更形態が当業者には明らかであろう。
【０００５】
用語「周辺ハードウェア」は、下文において、通信及びコンピュータ周辺装置とその付属品、特に、コンピュータ、ＰＣ、ワークステーション、ラップトップ、ＰＤＡ、個人用整理手帳、コミュニケータ、撮像装置、スクリーナ、プリンタ、スクリーン、ディスプレイ、スライド投影機、プロジェクタ、モデム、ケーブル及び通信ケーブル、トランスフォーメーション、マウス、マウスパッド、キーボード、ディスク、ハードディスク、フロッピディスク、ディスクホルダ、ラウドスピーカ、ディスクオンキー、ビデオセット、モニタ、ランプ、ＬＥＤ、プレイステーション、メディアセンタ、プロジェクタ、電話、携帯電話、ページャ、オペレータ、サーバ、通信及びパワーソケット、アンテナ、ＣＤプレーヤ、テレビ、ラジオ、それを提供するために適合された備品、そのバッグ及びキャリッジ、又はそれらの任意の組合せから成る群から非限定的な形で選択されるハードウェアを示す。便宜上、用語「コンピュータ」及び「周辺ハードウェア」は同義的に使用される。
【０００６】
本発明の一実施形態では、擬人化されたコンピュータ及び周辺ハードウェアパッケージが、少なくとも部分的に継続的及び／又は不浸透性のエンベロープを備え、少なくとも１つの開口部、ネット状の穴又はメッシュ状の穴を含む。
【０００７】
本発明の別の実施形態では、パッケージは、ポリマー、金属、合金、木材、紙、段ボール、粘土、ガラス、複合材料、皮革、スエード、ベルベット、布、絹、羊毛、毛髪、毛皮、又はそれらの任意の組合せから成る群から非限定的な形で選択される材料で作られる。
【０００８】
本発明の別の実施形態では、パッケージはさらに動作手段、特にモータ、ポンプ又はその他の操縦手段を備える。
【０００９】
本発明の別の実施形態では、パッケージはさらに、非限定的な形で、設定可能な付属パーツが耳、目、鼻、足、翼、靴、靴下、帽子、服、装飾などの動物のパーツの形をした動物様の擬人化されたコンピュータなど、音及び光の放出手段を備える。非限定的な形で提供される、かかるパーツを使用する例が、図１４、１５及び１６に示されており、同じ「形」が異なるアドオンパーツを使用することによって擬人化された形で異なる動物に設定されている。
【００１０】
本発明の別の実施形態では、パッケージは、音声、映像、光、音、振動、又はそれらの任意の組合せを表示、導入或いは放出するように適合された手段を備える。
【００１１】
本発明の別の実施形態では、パッケージが、少なくとも部分的に（１つ又は複数の）スクリーン、特に、市販のサムソン（Ｓａｍｓｕｎｇ）のフレキシブルＬＣＤスクリーン又はソニーの有機発光ダイオードベースのスクリーンなどの、フレキシブルスクリーン、フレキシブル有機発光デバイス（ＦＯＬＥＤ）、フレキシブルＬＣＤスクリーンを含む。これらのスクリーンは、２次元又は３次元配向のいずれでも提供され、場合によってはデバイスを格納する。デバイスの画像／スキンは、外部又は内部の事象に基づいてオンザフライで変更されることができる。
【００１２】
本発明の別の実施形態では、パッケージは少なくとも部分的に印刷可能、ペイント可能、形成可能、成形可能、又は他の方法でカスタムメイド若しくはテーラーメイドされることができる。本発明の別の実施形態では、固定手段は、磁石、ねじ、フック、ジッパ、ファスナ、クリップ、垂蓋、留め金、ばね、留め金、グリップ、マジックテープ、例えばベルクロ（Ｖｅｌｃｒｏ）（商標）型のファスナ、ストラップ、紐、ワイヤ、ケーブル、タブ、スナップ、釘、ボタン、ブラケット、又はそれらの任意の組合せから非限定的な形で選択される。
【００１３】
本発明の別の実施形態では、パッケージが前記のデバイスの「標準的な」シェルを格納するように適合される。
【００１４】
本発明の別の実施形態では、パッケージが「シェルのない」デバイスを格納するように適合される。
【００１５】
本発明の別の実施形態では、前記のシェルのないデバイスがフレームを備え、それにより、前記デバイスのフレームの少なくとも一部にエンベロープが固定される。
【００１６】
本発明の別の実施形態では、前記のいずれかで定義される擬人化されたデバイスのパッケージが、とりわけ、動物、植物、ゲーム、一般人、有名人、漫画のキャラクタ、乗り物、ビル及び建造物、地勢、服装のアイテム、食品、ボール、スポーツ用品、ロボット、文学の登場人物、聖書の登場人物、抽象的な形、備品、住宅設備、又はそれらの任意の組合せを含む群から選択される形に形成される。
【００１７】
本発明の別の実施形態では、前記のいずれかに定義のパッケージで装備されたデバイス、特にＰＣ、及び周辺ハードウェアを開示する。
【００１８】
本発明の別の実施形態では、（ｉ）ラップトップ、特にドッキングステーションを内部に組み込んだラップトップ、（ｉｉ）ＰＣ、及び／又は（ｉｉｉ）周辺ハードウェアのうちの１つ又は複数を開示し、それらのデバイスが、そのユーザ、ユーザの共同体、その環境、若しくはその他から情動的応答を誘発する形で擬人化され提供される。
【００１９】
本発明の特定の一実施形態によれば、（ｉ）ラップトップ、特に内部にドッキングステーションを組み込んだラップトップ、（ｉｉ）ＰＣ、及び／又は（ｉｉｉ）周辺ハードウェアのデバイスのうちの１つ又は複数のバッグ、運搬装置、エンベロープ又はコーティングが開示され、これらのバッグ、運搬装置、エンベロープ又はコーティングがそれらのユーザ、ユーザの共同体、その環境若しくはその他から情動的応答を誘発する形で擬人化され提供される。
【００２０】
本発明の別の実施形態では、デバイス、特にＰＣ、又は周辺ハードウェアを擬人化されたコンピュータ又は周辺ハードウェアのパッケージでパッケージ化する方法を開示する。この方法は、前記のいずれかに記載された擬人化されたコンピュータ又は周辺ハードウェアパッケージを取得するステップと、前記パッケージによって前記コンピュータ又は周辺ハードウェアをパッケージ化するステップとを含む。
【００２１】
本発明の別の実施形態では、コンピュータ及び周辺ハードウェア上での広告の方法を開示する。この方法は、前記のいずれかに記載された擬人化されたデバイスのパッケージを取得するステップであり、前記パッケージが少なくとも１つの広告を含む、取得するステップと、前記パッケージによる前記コンピュータのパッケージ化のステップとを含む。
【００２２】
本発明の別の実施形態では、相互通信するコンピュータ及び周辺ハードウェアの、１つ又は複数の或いはネットワークで結ばれたコミュニティのいずれかで通信する擬人化されたコンピュータ及び周辺ハードウェアを開示する。
【００２３】
本発明の範囲において、前述のコンピュータ及び周辺ハードウェアは、特定のコンピュータ及び周辺ハードウェアを識別するように、及び／又はその商品のユーザ／所有者を識別するように適合された通信手段を備える。かかる通信手段は、ＲＦＩＤ、ブルートゥース（Ｂｌｕｅｔｏｏｔｈ）、ＲＦ放射体、ＵＶ、ＩＲ、Ｖｉｓ発光体、レーザ放射体、無線送信機及びその検出器から非限定的な形で選択される。そうでない場合、本発明の範囲において、前述のコンピュータ及び周辺ハードウェアは、無線若しくは有線の通信手段を備え、ネットワーク、回線、インターネット、イントラネットを介したそれらの通信が利用可能である。さらに本発明の範囲において、擬人化されたコンピュータ及び周辺ハードウェアは、他の擬人化されたコンピュータ及び周辺ハードウェアと通信し、身元確認されたパーソナリティを取得し、記憶、処理するように適合された処理手段及び検索可能なデータベースを備え、少なくとも１つの共通の所定のパラメータを共用する他の擬人化されたコンピュータ及び周辺ハードウェアの常に変化する１つ又は複数のコミュニティとの通信能力を備える。
【００２４】
したがって、例えば、所与の複数の１つ又は複数のラップトップコンピュータＣｉ及び／又はその他の周辺ハードウェアＰＨｉは、パーソナリティＩＰでその所有者Ｉによって特徴を与えられる。コンピュータＣｉ及び周辺ハードウェアＰＨｉは、前記パーソナリティＩＰを記憶し、それらの環境に対して絶えずＲＦＩＤ信号を放出する。所有者Ｊの他のラップトップコンピュータＣｊがＣｉに適合して配置される場合、またＣｉ及びＣｊが同様のパーソナリティである場合、コンピュータＣｉ及びＣｊは、そのエリアのコミュニティの他のメンバの存在をそのユーザに信号で伝え、擬人化された通信メッセージが自動的、半自動的若しくは手動のいずれかでＣｉからＣｊへ、またその逆に、及び／又は所有者Ｉから所有者Ｊへ、またその逆に伝送される。別の例は、例えば、ハリー・ポッター（商標）コミュニティ（Ｈａｒｒｙ  Ｐｏｔｔｅｒ（商標）  Ｃｏｍｍｕｎｉｔｙ：ＴＰＣ）と呼ばれるコミュニティである。所有者Ｉが自分のコンピュータをロン・ウィーズリー（Ｒｏｎ  Ｗｅａｓｌｅｙ）（商標）のキャラクタに擬人化し、所有者Ｊが自分の携帯電話をハーマイオニー・グレンジャー（Ｈｅｒｍｉｏｎｅ  Ｇｒａｎｇｅｒ）（商標）のキャラクタに擬人化する。ＩとＪの間でアトラクションが提供される。これに対して、所有者Ｋが自分のコンピュータをハリー・ポッター（商標）のキャラクタに擬人化し、所有者Ｌが自分の電話をドラコ・マルフォイ（Ｄｒａｋｏ  Ｍａｌｆｏｙ）（商標）のキャラクタに擬人化する。Ｉ、Ｊ及びＫの間でアトラクションが提供され（グリフィンドール（Ｇｒｙｆｆｉｎｄｏｒ）（商標）コミュニティ）、一方でＩ、Ｊ、Ｋ対Ｌの間では競争が起こるであろう（スリザリン（Ｓｌｙｔｈｅｒｉｎ）（商標）コミュニティ）。
【００２５】
本発明の範囲において、擬人化されたコンピュータ及び周辺ハードウェアが、直接的な形（例えば、デバイスのテーラーメイドの擬人化）及び／又は非直接的な形（例えば、インターネットのウェブベースのデータベースでの登録を介して）のいずれかで１つ又は複数のコミュニティに登録される。
【００２６】
さらに本発明の範囲において、擬人化されたコンピュータ及び周辺ハードウェアは、（ｉ）直接的な形（例えば、デバイスのテーラーメイドの擬人化）及び／又は（ｉｉ）非直接的な形（例えば、インターネットのウェブベースのデータベースでの登録を介して）のいずれかで、他のコンピュータ及び周辺ハードウェアと、又は同一の若しくは他のコミュニティとのアトラクション及び競争反応を選択し、それによって自動的、半自動的、手動又はその他の（少なくとも部分的にランダムな、人工知能及びコンピュータ制御の反射などに基づく形の）反応が提供される。
【００２７】
本発明の一定の縮尺で描かれていない好ましい実施形態のセットを図示する図１〜１６を参照されたい。
【００２８】
特に図９を参照すると、本発明の一定の縮尺で描かれていない好ましい実施形態が図示され、コンピュータ（２０）が例示的な馬型のパッケージ（１０）の内部に格納されており、前述のパッケージは、（ａ）そこを介してコンピュータを挿入する又は取り出すことができるジッパ又はファスナ（３０）と、（ｂ）コンピュータの通常動作が阻害されないようなコンピュータサービス及び制御ファシア（２１）に対応する上部のサービス開口部（１１）とを備えている。
【図１】
2010524115.tif 000003
【図２】
2010524115.tif 000004
【図３】
2010524115.tif 000005
【図４】
2010524115.tif 000006
【図５】
2010524115.tif 000007
【図６】
2010524115.tif 000008
【図７】
2010524115.tif 000009
【図８】
2010524115.tif 000010
【図９】
2010524115.tif 000011
【図１０】
2010524115.tif 000012
【図１１】
2010524115.tif 000013
【図１２】
2010524115.tif 000014
【図１３】
2010524115.tif 000015
【図１４】
2010524115.tif 000016
【図１５】
2010524115.tif 000017
【図１６】
2010524115.tif 000018
【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
擬人化されたコンピュータデバイスであって、
ａ）処理手段、検索可能なデータベース、及び制御ファシアを備えるパーソナルコンピュータと、
ｂ）前記制御ファシアを用いた前記コンピュータデバイスの通常動作が阻害されないように設計され、前記処理手段及びデータベースを格納している、個別に選択可能、カスタマイズ可能及び／又は形成可能なエンベロープと、
ｃ）音声放出手段と
を備え、
前記エンベロープの設計及び前記音声放出手段から放出される音声が前記コンピュータデバイスにユーザからの情動的応答を誘発するパーソナリティを与え、前記コンピュータデバイスの前記パーソナリティが１つ又は複数の所定の設計又は音声パラメータによって定義されている、擬人化されたコンピュータデバイス。
【請求項２】
磁石、ねじ、フック、ジッパ、ファスナ、クリップ、垂蓋、留め金、ばね、グリップ、ベルクロ（商標）、ストラップ、紐、ワイヤ、ケーブル、タブ、スナップ、釘、ボタン、ブラケット、又はそれらの任意の組合せから成る群から選択される、パーソナルコンピュータフレームに前記エンベロープを固定するための固定手段をさらに備える、請求項１に記載の擬人化されたコンピュータデバイス。
【請求項３】
前記エンベロープが少なくとも部分的に継続的及び／又は不浸透性であり、少なくとも１つの開口部、ネット状の穴又はメッシュ状の穴を備える、請求項１に記載の擬人化されたコンピュータデバイス。
【請求項４】
前記エンベロープがポリマー、金属、合金、木材、紙、段ボール、粘土、ガラス、複合材料、皮革、スエード、ベルベット、布、絹、羊毛、毛髪、毛皮、フレキシブルスクリーン、ＦＯＬＥＤ、又はそれらの任意の組合せから成る群から選択される材料で作られ、前記エンベロープの大きさ、形、色、質感、及び材料が個別に選択可能、カスタマイズ可能及び／又は形成可能である、請求項１に記載の擬人化されたコンピュータデバイス。
【請求項５】
動作手段、モータ、ポンプ、操縦手段、並びに音声、映像、光、音及び振動を表示、導入若しくは放出するための手段、又はそれらの任意の組合せから成る群から選択される反応を引き起こすための手段をさらに備え、前記コンピュータデバイスの前記パーソナリティが１つ又は複数の所定の反応パラメータによって定義される、請求項１に記載の擬人化されたコンピュータデバイス。
【請求項６】
反応を引き起こすための前記手段が人工知能手段も備える、請求項５に記載の擬人化されたコンピュータデバイス。
【請求項７】
前記エンベロープが動物、植物、一般人、有名人、漫画のキャラクタ、乗り物、ビル及び建造物、地勢、服装のアイテム、食品、ボール、スポーツ用品、ロボット、文学の登場人物、聖書の登場人物、抽象的な形、備品、住宅設備、又はそれらの任意の組合せから成る群から選択される形を有する、請求項１に記載の擬人化されたコンピュータデバイス。
【請求項８】
目、耳、鼻、足、翼、帽子、靴、靴下、帽子、衣服、装飾、又はそれらの任意の組合せから成る群から選択される形を有し、前記デバイスに取り付け可能な１つ又は複数の交換可能及び設定可能なパーツをさらに備える、請求項１に記載の擬人化されたコンピュータデバイス。
【請求項９】
ＲＦＩＤ手段、ブルートゥース手段、ＲＦ放射体、ＵＶ手段、ＩＲ手段、Ｖｉｓ発光体、レーザ放射体、無線送信機及びその検出器、ネットワーク、回線、インターネット、並びにイントラネットから成る群から選択される有線又は無線の通信手段をさらに備える、請求項１に記載の擬人化されたコンピュータデバイス。
【請求項１０】
請求項１〜９のいずれか一項に記載の擬人化されたコンピュータデバイスと少なくとも１つの周辺ハードウェアとを備え、少なくとも１つの共通の所定のパーソナリティパラメータを前記コンピュータデバイスと共用するコミュニティ。
【請求項１１】
前記少なくとも１つの周辺ハードウェアが、コンピュータ、パーソナルコンピュータ、ワークステーション、ドッキングステーション、ラップトップ、ＰＤＡ、個人用整理手帳、コミュニケータ、撮像装置、スクリーナ、プリンタ、スクリーン、ディスプレイ、スライド投影機、プロジェクタ、モデム、ケーブル及び通信ケーブル、変圧器、マウス、マウスパッド、キーボード、ディスク、ハードディスク、フロッピディスク、ディスクホルダ、ラウドスピーカ、ディスクオンキー、ビデオセット、モニタ、ランプ、ＬＥＤ、プレイステーション、メディアセンタ、プロジェクタ、電話、携帯電話、ページャ、オペレータ、サーバ、通信及びパワーソケット、アンテナ、ＣＤプレーヤ、テレビ、ラジオ、備品、バッグ及びキャリッジ、又はそれらの任意の組合せから成る群から選択される、請求項１０に記載のコミュニティ。
【請求項１２】
１つ又は複数の周辺ハードウェアユニットが、各周辺ハードウェアユニットを識別するための、前記デバイスと通信するための、並びにそれによって前記コンピュータデバイスのパーソナリティの特徴を取得するための有線又は無線の通信手段を備える、請求項１０に記載のコミュニティ。
【請求項１３】
擬人化されたデバイスからの情動的応答を誘発する方法であって、
処理手段及び検索可能なデータベースを格納しているコンピュータデバイスのエンベロープを選択する又はカスタマイズするステップと、
デバイス起因の反応を実行するステップと
を含み、前記反応は前記コンピュータデバイスにユーザからの情動的応答を誘発するパーソナリティを与え、前記コンピュータデバイスの前記パーソナリティは１つ又は複数の所定の設計又は反応パラメータによって定義される、方法。
【請求項１４】
前記デバイス起因の反応が、音声放出、発光、映像表示、振動放出、モータ作動及びポンプ作動から成る群から選択される、請求項１３に記載の方法。
【請求項１５】
前記１つ又は複数の反応パラメータが通信手段によって取得される、請求項１３に記載の方法。
【国際調査報告】
2010524115.tif 000019
2010524115.tif 000020